Podtech/llm-jp-corpus-v4-ja_patent huggingface dataset:
(57)【要約】      （修正有）【課題】消臭・防汚機能を有するペーパークラフトを提供する。【解決手段】ペーパークラフト１を、略中央から半分に折りたたみ可能にされた台座シート２と、建物の造形が立体的に表示される造形シート３とを重ねて構成する。この造形シート３は、造形対象に外郭を打ち抜き加工すると共に、折り線を表示してなる消臭・防汚機能を有する光触媒紙のシートを、切り込み線、各折り線に対応した手順によって折り曲げることにより立体的な形態を構成する。【選択図】図１
0003137272.tif 000002
【実用新案登録請求の範囲】
【請求項１】
紙シートとして消臭・防汚機能を有する光触媒紙を用いることを特徴とするペーパークラフト。
【考案の詳細な説明】
【技術分野】
【０００１】
本考案は、光触媒紙を用いることで、消臭・防汚機能が付加されたペーパークラフトに関するものである。
【背景技術】
【０００２】
従来、紙製の装飾品、例えば、折り紙（例えば、特許文献１）や、切り目に沿って切り抜いて、折り目に沿って折り曲げることにより、立体状の形態を構成するペーパークラフト（例えば、特許文献２）が知られている。
【０００３】
【特許文献１】特開２００５−８７４９８号公報
【特許文献２】特開２００４−１４７８９２号公報
【特許文献３】特開平８−２４３２６５号公報
【０００４】
一方、特許文献３には、紙の表面にリン酸ジルコニウムを担体とする銀系無機抗菌剤を塗工してなる抗菌折り紙が開示されている。
【考案の開示】
【考案が解決しようとする課題】
【０００５】
しかしながら、普通の紙で作成されたペーパークラフトは、経年による汚れや劣化が生じ、装飾性以外の特筆するべき機能を持ち合わせていない。そこで、本発明者らは鋭意研究を行った結果、単なる装飾品としてのペーパークラフトに消臭機能や防汚機能を付加することを知得し、本考案をするに至った。本考案は、消臭・防汚機能を有するペーパークラフトを提供することを目的とするものである。
【課題を解決するための手段】
【０００６】
そこで本考案のペーパークラフトは、紙シートとして消臭・防汚機能を有する光触媒紙を用いることを特徴とする。
【考案の効果】
【０００７】
本考案によれば、下記の優れた効果がある。
（１）加工の自由度が高いので、機能的且つ優れたデザインの製品を創出できる。
（２）組み立てが容易で、また軽量なので所望する場所に簡単に設置することができる。
（３）シートとして光触媒紙を用いることで、消臭・防汚機能を付加することができる。
（４）経年によるクラフト自体の汚れや劣化が生じ難い。
【考案を実施するための最良の形態】
【０００８】
以下、本考案の実施の形態を図面に示す実施例に基づいて説明する。
図１は本考案に係るペーパークラフトの一実施例を示す斜視図、図２は図１の展開図、図３は本考案に係るペーパークラフトの他の実施例を示す斜視図である。
【実施例１】
【０００９】
図１に示すように、本実施例のペーパークラフト１は、略中央から半分に折りたたみ可能にされた台座シート２と、建物の造形が立体的に表示される造形シート３とを重ねて構成されている。この造形シート３は、図２に示すように、造形対象に外郭を打ち抜き加工すると共に、折り線４及び５を表示してなる紙のシートを、各折り線４及び５に対応した手順によって折り曲げることにより立体的な形態を構成するようにされている。ここで、破線で示す折り線４は山折り、一点鎖線で示す折り線５は谷折りとしている。また、実線で示す６は切り込み線を示す。
【００１０】
本考案の造形シート３に用いる紙シートとしては、片面若しくは両面に酸化チタン（ＴｉＯ２）、酸化ニオブ（Ｎｂ２Ｏ５）、三二酸化鉄（Ｆｅ２Ｏ３）、酸化亜鉛（ＺｎＯ）、酸化タングステン（ＷＯ３）のような金属酸化物又はこれらの金属複合酸化物を塗膜した光触媒紙を用い、主として消臭・防汚機能を付加する。本考案では光触媒紙として、エスプリエアクリーンペーパー（商品名：平和紙業株式会社製）を使用した。
【実施例２】
【００１１】
次に、本考案に係るペーパークラフトの他の実施例を説明するが、便宜上、実施例１と同様の構成要素には、同一の参照符号を付して説明する。
図３に示すように、本実施例のペーパークラフト１は、実施例１と同じ光触媒紙を紙シートとして用いて、略中央から凸状に折りたたみ可能にされた台座シート２と、台座シート２の上下両側に建物の造形が立体的に表示される造形シート３とを重ねて構成されている。この造形シート３もまた造形対象に外郭を打ち抜き加工すると共に、折り線４及び５を表示してなる紙のシートを、切り込み線６及び各折り線４及び５に対応した手順によって折り曲げることにより立体的な形態を構成するようにされている。本実施例品を、壁面に設置した場合、上方又は下方からの視観が良好になる。
【産業上の利用可能性】
【００１２】
本考案に係るペーパークラフトは、消臭が必要なトイレや車両の室内に配置して、オブジェとしての装飾機能ばかりでなく、消臭機能が得られる。尚、本考案は上記実施例に限定されるものではなく、モビールやポップアップなどの室内装飾品。サンバイザー、組み立て工作の本、飛び出す絵本等も本考案のペーパークラフトの範疇に属するものとする。
【図面の簡単な説明】
【００１３】
【図１】本考案に係るペーパークラフトの一実施例を示す斜視図である。
【図２】図１の展開図である。
【図３】本考案に係るペーパークラフトの他の実施例を示す斜視図である。
【符号の説明】
【００１４】
１    ペーパークラフト
２    台座シート
３    造形シート
４    折り線（山折り）
５    折り線（谷折り）
６    切り込み線
【図１】
0003137272.tif 000003
【図２】
0003137272.tif 000004
【図３】
0003137272.tif 000005
(57)【要約】【課題】多種多様なバイクのシートに被せる夏用のメッシュシートカーバーがバイクの立体シートカバー形状に制約されることなく幅広く取り付け可能な方法を提供する。【解決手段】バイクのシートに被せる夏用メッシュシートカバーの適当なメッシュ穴にロープを通してシートに取り付ける場合、ロープをメッシュ穴に差し込んで適宜な離れたメッシュ穴からロープを取り出すが、このロープの２点間のロープをビニールチューブに通す。【選択図】図１
0003137291.tif 000002
【実用新案登録請求の範囲】
【請求項１】
二輪車の座席シートにメッシュのサマーシートカバーを被せる際メッシュ側の取り出しロープをメッシュの二点間に通して座席のシートと係留するが、このメッシュに沿った２点間を通るロープをビニールチューブの中に通す。
【考案の詳細な説明】
【技術分野】
【０００１】本考案は夏の直射日光にさらされるバイクのシートの温度上昇を抑え走行時に受ける向かい風に依って放熱するハニカム積層環状メッシュカバーの装着方法に関する。
【実願文献１】
実願２００４−００１２６６号
【背景技術】
【０００２】従来のバイク用サマーシートはバイクのシート形状が三次元立体デザインなので、バイクの各々の型式に合わせたハニカム積層環状メッシュを個別に縫製し使用している。
この為  製品も複雑な構造で、在庫も少なくまた高価である。
【考案の開示】
【考案が解決しようとする課題】
【０００３】本考案は多種多様なバイクのシートに適応出来、安価にして、取り扱いが簡単になるバイク用ハニカム積層環状メッシュの新規な取り付け方法を提供することを目的とする。
【課題を解決するための手段】
【０００４】バイクのサマーシートに用いるハニカム積層環状メッシュをロープでバイクシートに固定する際メッシュ側を通るロープはビニールチューブのトンネルの中に通す。
【考案の効果】
【０００５】本案に用いるハニカム積層環状メッシュのシートカバーは特別な仕立てを必要とせず、必要サイズの設定だけでバイクの形状に関係無く適応出来る。【０００６】セットが完了するとロープがハニカム積層環状メッシュを上から抑え込む様に成るので風圧にも強くバイクのシートに密着する。【０００７】メッシュ側のロープを内包するビニールチューブは装着完成時にはハニカム積層環状とバイクシートの間に挟まれる状態となるが、圧着する素材同志は滑らないのでカバーの安定装着を補助する。【０００８】ビニールチューブはバイク使用時にドライバーが触れる、載る等してもビニールチューブの特性としてつぶれるので、使用上の不都合は全く無い。
【考案を実施するための最良の形態】
【０００９】以下本案の実施形態に係るサマーシート、ハニカム積層環状メッシュの取り付け方法に就いて図面に沿って説明する。
バイクのシート５の上にメッシュ１を適正な位置で表向きにのせる。
フック４をバイクのシートのエッジに引っかける。
コードロック３に通したロープ２をひっぱてメッシュをフックで固定する。ビニールチューブ６が有るのでコードを２点でひっぱてもメッシュが波打つこともなく、ビニールチューブ全長でメッシュを引き寄せるので、メッシュが切れることもない。  耐久性も有る。
【実施例】
【００１０】サマーシート用のメッシュロープを取り出す２点の位置は座る位置に近い点遠い点また二点の高さを変える等、実施するバイクのシートの適正位置を自由に修正できる。
【産業上の利用可能性】
【００１１】本案はバイクのサマーシートを取り付ける方法のみに限定されるものではなく、広くメッシュ材を係留する場面で有効である。
【図面の簡単な説明】
【００１２】
【図１】本案の装着実施を示す全体斜視図である。
【図２】本案の実施形態の平面図である。
【図３】本案の実施形態の背面図である。
【符号の説明】
【００１３】１  ハニカム積層環状メッシュ
２  ロープ
３  コードロック
４  バイクシートへの引っかけフック
５  バイクのシート
６  ビニールチューブ
７  ハニカム積層環状メッシュの裏側滑り止め加工
【図１】
0003137291.tif 000003
【図２】
0003137291.tif 000004
【図３】
0003137291.tif 000005
【手続補正書】
【提出日】平成19年8月16日(2007.8.16)
【手続補正１】
【補正対象書類名】実用新案登録請求の範囲
【補正対象項目名】全文
【補正方法】変更
【補正の内容】
【実用新案登録請求の範囲】
【請求項１】
二輪車の座席シートにメッシュのサマーシートカバーを被せる際、メシュ側の取り出しロープをメッシュの内側に沿って２点間に見合う長さのビニールチューブに通してメッシュがしわに成らない、又破損しないように工夫したビニールチューブを備えたことを特徴とするバイクのサマーシートカバー。
(57)【要約】【課題】水は、生命の源であり、絶対に不可欠な資源です。各家庭の、台所で使用した排水にはきれいなものが沢山あり、ただ、下水道へ排出するのでは無くこの水資源をもっと有効に利用する必要があります。【解決手段】フレキシブルホースに、じょうごをセットしたものを台所側に設置し、水の流れる高低さを考慮してトイレ、ベランダへホースを配置してポリバケツで水を貯水します。【選択図】図１
0003137297.tif 000002
【実用新案登録請求の範囲】
【請求項１】
フレキシブルホースの片端に水を受けるじょうごをセットする。
【請求項２】
フレキシブルホースのもう一方の片端はそのままとする。
【請求項３】
じょうごの下部にはフィルターを設ける。
【考案の詳細な説明】
【技術分野】
【０００１】本考案は、家庭で水道水を使用した時の、濯ぎ水を、リサイクルホースを使用して、トイレとかベランダへ送って貯水し、その水を再利用するという、水資源確保に関するものである。
【背景技術】
【０００２】従来、家庭で水道水を使用した時の、濯ぎ水を再利用するには、バケツ等に貯めて、移動させなければならなかった。
【考案の開示】
【考案が解決しようとする課題】
【０００３】水は、生命の源であり、絶対に不可欠な資源であります。
日本の水道水は、世界でも一番の良質、安全なものであります。
世界の他の国では、飲料水を買って飲んでいるのが実状です。
しかし日本では、この良質な水をトイレの排水に使い、ベランダの植木等に散水しています。各家庭の、台所で使用した排水にはきれいなものが沢山あり、ただ、下水道へ排出するのでは無くこの水資源をもっと有効に利用する必要があります。
【課題を解決するための手段】
【０００４】直径約、３センチのフレキシブルホースの片端に、再利用する水を受けるじょうごをセットし、もう一方の片端はそのままにしたものを作ります。
台所側には、じょうごをセットした方を設置し、水の流れる高低さを考慮してトイレ、ベランダへホースを配置してポリバケツで水を貯水します。
【考案の効果】
【０００５】台所での水道水使用の際に、再利用出来る水はどれかを判断して、台所側に設置したじょうごへ流し込み貯水して利用することにより、水資源の節約確保は勿論のこと、水道浄水場及び下水処理場の電気エネルギーの削減は必至であり、地球温暖化防止に大きく貢献出来るものと確信します。
【考案を実施するための最良の形態】
【０００６】既存の建物については、このリサイクルホースは露出配置となりますが、もっとも一般的な形態に合った数種類の長さの物を製造して、利用します。また、今後、新築する建物については、建築当初からこの、リサイクルホースを備えたものを望みます。
【実施例】
【０００７】考案者は、手作りのリサイクルホースで、台所からトイレ、ベランダへと排水貯水し、水道水の有効な利用に努めています。
【産業上の利用可能性】
【０００８】
【図面の簡単な説明】
【０００９】
【図１】  ウオーター  リサイクルホースを示した正面図である。
【図２】  ウオーター  リサイクルホースを示した平面図である。
【図３】  ウオーター  リサイクルホースを示した断面図である。
【図１】
0003137297.tif 000003
【図２】
0003137297.tif 000004
【図３】
0003137297.tif 000005
【手続補正書】
【提出日】平成19年8月13日(2007.8.13)
【手続補正１】
【補正対象書類名】実用新案登録請求の範囲
【補正対象項目名】全文
【補正方法】変更
【補正の内容】
【実用新案登録請求の範囲】
【請求項１】
直径約３センチのフレキシブルホースの片端に、広口じうろを取り付けた排水ホース。
【請求項２】
広口じょうろは、異物が入らないようにフィルターを設けて、排水が容易に出来ることを特徴とする請求項１記載の排水ホース。
(57)【要約】      （修正有）【課題】浴室マットにおける微生物を強力に殺菌できる、安価で簡単に使用できる接着シール付き浴室マット用銀コーティング殺菌シートを提供する。【解決手段】接着シール付き浴室マット用銀コーティング殺菌シート１０は、市販の浴室マット１に取り付けるための接着シール２により、この問題を解決する。【選択図】図１
0003137295.tif 000002
【実用新案登録請求の範囲】
【請求項１】
長方形の銀コーティング殺菌シートの周囲に接着シールを設け、市販の浴室マットに取り付けられるようにした銀コーティング殺菌シート。
【考案の詳細な説明】
【技術分野】
【０００１】本考案は浴室マットの殺菌に関する。
【背景技術】
【０００２】従来、浴室マットには白癬菌が付着しやすく、銭湯や温泉施設などでは衛生管理の観点から大きな問題点とされている。
【考案の開示】
【考案が解決しようとする課題】
【０００３】しかし、有効な殺菌力を有し、安価な商品は少なく、十分な対策が取られているとはいえないのが現状である。
【課題を解決するための手段】
【０００４】そこで、強力な殺菌力を有する銀イオンを発生するナノシルバーをコーティングした不織布を市販の浴室マットにに貼り付けるだけで、安価に殺菌が行える接着テープ付き浴室マット用銀コーティング殺菌シートを考案した。
【考案の効果】
【０００５】よって、本考案の接着シール付き浴室マット用銀コーティング殺菌シートにより、市販の浴室マットを簡単に殺菌機能を有する浴室マットにすることができる。
【考案を実施するための最良の形態】
【０００６】本考案に係る銀コーティング殺菌シート１０は、図１に示すように市販の浴室マット１と接着できるように接着シール２を備えている。
【図面の簡単な説明】
【０００７】
【図１】本考案に係る接着シール付き浴室マット用銀コーティング殺菌シートを示した図である。
【符号の説明】
【０００８】１      市販の浴室マット
２      接着シール
１０    銀コーティング殺菌シート
【図１】
0003137295.tif 000003
(57)【要約】      （修正有）【課題】強力な殺菌力を有する銀イオンを発生するナノシルバーをコーティングした不織布を市販のマスクに貼り付け、通過する空気の殺菌力の増強を行い、市販のマスクの機能性を向上させる。【解決手段】接着シール付きマスク用銀コーティング殺菌シート１０は、市販のマスク１に取り付けるための接着シール２により取り付けられる。【選択図】図１
0003137296.tif 000002
【実用新案登録請求の範囲】
【請求項１】
長方形の銀コーティング殺菌シートの周囲に接着シールを設け、市販のマスクに取り付けられるようにした銀コーティング殺菌シート。
【考案の詳細な説明】
【技術分野】
【０００１】本考案はマスクの殺菌に関する。
【背景技術】
【０００２】最近、感染症や花粉症の対策として各種マスクが販売されている。
【考案の開示】
【考案が解決しようとする課題】
【０００３】しかし、有効な殺菌力を有したマスクは少なく、単独では十分な対策とはいえないのが現状である。
【課題を解決するための手段】
【０００４】そこで、強力な殺菌力を有する銀イオンを発生するナノシルバーをコーティングした不織布を市販のマスクに貼り付け、通過する空気の殺菌力の増強を行い、市販のマスクの機能性を向上させるものである。
【考案の効果】
【０００５】よって、本考案の接着シール付きマスク用銀コーティング殺菌シートにより、市販のマスクを簡単に殺菌機能を有するマスクにすることができる。
【考案を実施するための最良の形態】
【０００６】本考案に係る銀コーティング殺菌シート１０は、図１に示すように市販のマスク１と接着できるように接着シール２を備えている。
【図面の簡単な説明】
【０００７】
【図１】本考案に係る接着シール付きマスク用銀コーティング殺菌シートを示した図である。
【符号の説明】
【０００８】１        市販のマスク
２        接着シール
１０      銀コーティング殺菌シート
【図１】
0003137296.tif 000003
(57)【要約】      （修正有）【課題】胃内で溶解が早く、しかも一粒に含まれるクロロフィル容量を高容量として消臭効果を強くすることができるサプリメントを提供する。【解決手段】消臭用サプリメントはハードカプセル１とこのハードカプセルに詰められた高容量のクロロフィリン（葉緑素）粉末２からなっている。ハードカプセルは、ゼラチン、水、離型剤（大豆レシチン）よりなる食用ハードカプセルを使用している。【選択図】図１
0003137264.tif 000002
【実用新案登録請求の範囲】
【請求項１】
易溶解性のハードカプセルに、クロロフィリン（葉緑素）を主成分とする有効成分を詰めてなる消臭用サプリメント。
【考案の詳細な説明】
【技術分野】
【０００１】
本考案は、口臭、体臭、便臭などを軽減する消臭用サプリメントに関するものである。
【背景技術】
【０００２】
従前から、クロロフィル（葉緑素）を用いた消臭サプリメントは存在している。
【特許文献１】特開2003-250491
【０００３】
しかし、いずれも錠剤あるいはソフトカプセル錠であり、しかも一粒あたり低容量であったため、胃内での溶解が遅い上に、消臭効果の発現が遅く、効果が弱いという難点があった。
【０００４】
上記の従来品のもつ難点は、錠剤は有効成分を圧縮した固形製剤であること、またハードカプセル錠は液状物質を中身とするためもれないよう皮膜が頑丈になっていることから溶解が遅くなり、またソフトカプセルは有効成分粉末を溶解液で液状にするがこの溶解液の割合が多く自然低容量になってしまうということに理由があった。
【考案の開示】
【考案が解決しようとする課題】
【０００５】
解決しようとする問題点は、胃内で溶解が早く、しかも一粒に含まれるクロロフィル容量を高容量とする点である。
【課題を解決するための手段】
【０００６】
本考案は、この解決策として、胃内での溶解が早い易溶解性のハードカプセルを使用するとともに、クロロフィリン（葉緑素）を主成分とする有効成分粉末をそのままハードカプセルに詰めた構成としたことを最も主要な特徴とする。
【考案の効果】
【０００７】
本考案の消臭用サプリメントは、胃内での溶解が早い易溶解性のハードカプセルを使用するとともに、クロロフィリン（葉緑素）を主成分とする有効成分粉末をそのままハードカプセルに詰めるから高容量化でき、したがって、胃内での溶解が早く、また高容量のクロロフィリン（葉緑素）が一気に胃内に広がり、消化管に流入するため、消臭効果が強いという利点がある。
【考案を実施するための最良の形態】
【０００８】
ハードカプセル内に高容量のクロロフィリン（葉緑素）を詰めることにより実現した。
【実施例１】
【０００９】
図１は、本考案の１実施例の概略図であって、本考案に係る消臭用サプリメントはハードカプセル１とこのハードカプセルに詰められた高容量のクロロフィリン（葉緑素）粉末２からなっている。
【００１０】
ハードカプセルは、ゼラチン、水、離型剤（大豆レシチン）よりなる食用ハードカプセルを使用している。
【００１１】
上記実施例では、ハードカプセルに、クロロフィリン（葉緑素）を主成分とする粉末を詰めたが、粉末の形態に限らずハードカプセルに高容量を充填可能であればどのような形態であってもよい。
【産業上の利用可能性】
【００１２】
胃内で溶解が早い易溶解性のハードカプセルを使用し、しかも一粒に含まれるクロロフィル容量を高容量としているから、胃内での分解が早く、高容量のクロロフィリン（葉緑素）が一気に胃内に広がり、消化管に流入するため、従来品に比べると消臭効果が強く、口臭、体臭、便臭などを著しく軽減する。
【図面の簡単な説明】
【００１３】
【図１】本考案の１実施例の概略図である。（実施例１）
【符号の説明】
【００１４】
１    ハードカプセル
２    クロロフィリン（葉緑素）
【図１】
0003137264.tif 000003
(57)【要約】      （修正有）【課題】災害時の暗闇でも文字が書ける携帯筆記用具を提供する。【解決手段】筆記用具１０の先端部分の芯３の周りを透明に施し、発光体４と電池２とスイッチ１を組み合わせて、発光体に電流を流して筆記用具の先を明るくして、文字を書くことができる。【選択図】図１
0003137130.tif 000002
【実用新案登録請求の範囲】
【請求項１】
筆記用具の芯の周りの先端部分を透明の素材にして、内部に発光体と電池と発光体に電流をＯＮ，ＯＦＦする、スイッチを組み合わせて形成し、災害時などの暗闇でも文字が書ける事を特徴とした、暗闇でも文字が書ける携帯筆記用具。
【考案の詳細な説明】
【技術分野】
【０００１】  本考案は、暗闇でも文字が書ける携帯筆記用具に関する。
【背景技術】
【０００２】  昔から、暗闇で文字を書く場合は明かりが灯され書かれている。
【考案の開示】
【考案が解決しようとする課題】
【０００３】  しかし、これでは、災害時など明かりの調達できない暗闇で筆記用具を使い文字を書こうとすると書きづらく不便である。
【課題を解決するための手段】
【０００４】  そこで、筆記用具の内部に、スイッチとバッテリーと、先端部の芯の周りに発光部と、発光部の周りを透明の素材で囲い組み合わせて形成した筆記用具を考案した（図１）。この筆記用具により、芯の先の方を明るく見る事が出来る。
【考案の効果】
【０００５】  よって、本考案の携帯筆記用具により、災害発生時の電話機など不通のとき暗闇で文字を書く事が出来て伝言を残すことが出来る。また、携帯筆記用具の先は明るく見る事が出来るので明かりとして使用出来るのである。
【考案を実施するための最良の形態】
【０００６】  以下、本考案に係る、暗闇でも字が書ける携帯筆記用具１０は、図１に示すように、筆記用具の内部に、１スイッチと、２バッテリーと、先端部の、３芯の周りに、４発光部と、４発光部の周り、５が透明の素材などの組み合わせにより形成されている。筆記用具１０のサイズは、発光部の明るさと点灯する時間を予測してバッテリーを選出して、筆記用具のサイズを決めれば良い。また、スイッチのＯＮ、ＯＦＦは筆記用具の外側から出来るようにすると良い。【０００７】  上述べしたように、暗闇でも字が書ける携帯筆記用具は、筆記用具にスイッチとバッテリーと発光部と発光部を囲う透明の素材を組み合わせて形成し、携帯する事で、災害時の電話などの不通で連絡手段の取れないとき、暗闇で緊急時には壁や紙や至る所に文字を書き伝言を残す事が出来る。
【図面の簡単な説明】
【０００８】
【図１】は、本考案に係わる筆記用具全体構造図である。
【図２】は、筆記用具内の配線図である。
【符号の説明】
【０００９】  １  スイッチを示す。
２  バッテリーを示す。
３  芯を示す。
４  発光部を示す。
５  発行部を囲う透明の素材を示す。
１０  筆記用具を示す。
【図１】
0003137130.tif 000003
【図２】
0003137130.tif 000004
(57)【要約】      （修正有）【課題】取っ手が不要で且つ密閉することができる引き出しを提供する。【解決手段】前面板が上端を支点に前方に傾斜し、且つその前面版下部において、その前面版が前方に突出している。又は、前面板が上端を支点に後方に傾斜し、且つその前面板下部において、その前面板が後方に後退している。【選択図】図１
0003137129.tif 000002
【実用新案登録請求の範囲】
【請求項１】
引き出しであって、その前面板が傾斜していることを特徴とする引き出し。
【請求項２】
引き出しであって、その前面板が後方に傾斜し、且つその前面板下部において、その前面板が前方に突出していることを特徴とする引き出し。（図１）
【考案の詳細な説明】
【技術分野】
【０００１】  この考案は引き出しの形状に関する。
【背景技術】
【０００２】  従来、引き出しには、引き出すための取っ手が必要不可欠であった。しかし、取っ手を付けることは手間のかかることであった。また、取っ手が外れたり、破損したりするという問題もあった。
このような取っ手をなくす方法として、引き出し前面板を低くしたり、一部を削ったりして手を差し込めるようにする工夫がなされていた。しかしこの方法では、前面板を低くしたり削ったりした部分が穴あき状態になり、引き出しを密閉することができず、引き出し内に埃が入るなどの問題があった。また、このような穴あき状態の引き出しは、美観的にも良くないものであった。（図３）
取っ手が不要で且つ穴あき状態にならず密閉することができる引き出しが望まれていた。
【考案の開示】
【考案が解決しようとする課題】
【０００３】  取っ手が不要で且つ密閉することができる引き出しを提供することを課題とする。
【課題を解決するための手段】
【０００４】  上記の課題は、以下の本考案によって達成される。即ち、【０００５】＜１＞
引き出しであって、その前面板が傾斜していることを特徴とする引き出し。【０００６】＜２＞
引き出しであって、その前面板が後方に傾斜し、且つその前面板下部において、その前面板が前方に突出していることを特徴とする引き出し。（図１）
【考案の効果】
【０００７】  本考案によれば、引き出しの前面板を傾斜化することにより取っ手は不要になる。前面板下部を引き手にすればよいからである。（図１）  必要に応じて前面板下部に少し切り込みを入れて引き手としてもよい。
取っ手を省略することにより引き出しは従前に比べ非常に作り易くなる。また、前面板穴あき状態にすることなく、密閉することが可能となり、埃などが引き出し内に入る問題は解消できる。【０００８】更に、前面板を穴あき状態にすることなく取っ手をなくすことにより、引き出しの前面の部分は突起物のない平面となり見た感じが非常にすっきりしたものになる。
また、その平面に絵画や彫刻等によりファッション性をもたせたり文字表現も可能になる。あるいは樹木の本来もっている美しい木目調をそのまま生かすこともできる。引き出しの前面の傾斜の度合いが芸術的な深みの表現へとつなげることもできる。
本考案は従前よりもはるかに作り易くしかも芸術性をも加味した変化に富んだ引き出しを提供することができる。
【考案を実施するための最良の形態】
【０００９】  この考案の一実施形態を図１に示す。またこの一実施形態を用いた二段引き出し小物入れの一例を図４に示す。
最良の形態は、その前面板が後方に傾斜し、且つその前面板下部において、その前面板が前方に突出しているものである。（図１）
なかでも、この引き出しの前面の傾斜面の最先端（図４の４、図５の４）と引き出しが入っている本体との距離（以下突出距離という、図４の５、図５の５）が、（前面板の厚み）〜（前面板の厚み＋５０ｍｍ）の値の範囲内にあるときが好ましい。
更に好ましくは、この突出距離が１５ｍｍから２５ｍｍの値の範囲内にあるときである。このようにすることで、前面板下部を引き手にすることがより容易になる。【００１０】本考案において、前面板とは、引き出しを構成する板のうち、従来、取っ手がつけられていた面の板のことである。使用時に最も使用者側になるのが通常である。
なお、後方とは使用者から遠ざかる方向、前方とは使用者の方向、前面板下部とは前面板の下側のことをそれぞれ表す。（図１）
【実施形態の効果】
【００１１】  この実施形態では取っ手を作る必要がなくなるので従前に比べ、引き出しが非常につくりやすくなり見た目もすっきりする。また実施形態を決めるには感性による部分が大きいので、個性的な面を強く表現することができるという特徴をもつ。このことから強い創作意欲を高める。引き出しは単に物を入れる箱という概念から脱却して、１つの芸術的な側面をもつ物であるという意識の変革を促す。
【他の実施形態】
【００１２】  引き出しの前面の傾斜を図１の逆の傾斜にさせることも可能である。（図２）
かくして、本考案は学習机や事務机等のみならず、化粧台、本棚、流し台など、あらゆる引き出しに応用することができる。適用する範囲は極めて広い。
【図面の簡単な説明】
【００１３】
【図１】この考案の一実施形態を示す図である。
【図２】この考案の一実施形態を示す図である。
【図３】従来の技術を示す図である。
【図４】この考案の一実施形態を用いた二段引き出し小物入れの図である
【図５】図４の小物入れ一実施形態を真横から見た図である。（右半分のみ）
【符号の説明】
【００１４】  １  引き出しの前面の傾斜面
２  引き出しの引き手
３  従来の引き出しの取っ手
４  引き出しの傾斜面の最先端
５  引き出しが入っている本体と傾斜面の最先端との距離（突出距離）
【図１】
0003137129.tif 000003
【図２】
0003137129.tif 000004
【図３】
0003137129.tif 000005
【図４】
0003137129.tif 000006
【図５】
0003137129.tif 000007
(57)【要約】【課題】本等に容易に装着できて紛失の恐れの少ないレンズプレートを提供する。【解決手段】  平面形状で被視体の拡大機能を持つレンズ部２とその周縁部３とからなるレンズプレート１において、周縁部３に薄物への係止部５が設けられてなるもの。【選択図】図２
0003137127.tif 000002
【実用新案登録請求の範囲】
【請求項１】
平面形状で被視体の拡大機能を持つレンズ部とその周縁部とからなるレンズプレートにおいて、
前記周縁部に薄物への係止部が設けられてなることを特徴とするレンズプレート。
【考案の詳細な説明】
【技術分野】
【０００１】  この考案は、レンズプレートの改良に関する。
【背景技術】
【０００２】  物を読む場合高齢者は老眼鏡を使用するが、小型の小説等の場合には字が小さくて読みにくい場合があり、そこでレンズプレートが使用される。このレンズプレートはフレネルレンズ構造の平面形状で被視体の拡大機能を持つレンズ部を備え、厚みが無くコンパクトであるので携帯に便利で重宝されている。
【考案の開示】
【考案が解決しようとする課題】
【０００３】  上記のレンズプレートは携帯される場合が多く、使用しない際には読む本の間に挟んでおくことが多いが、本の間から滑り脱落して紛失してしまうことが多々発生してしまう問題が発生した。【０００４】  この考案では、本等に容易に装着できて紛失の恐れの少ないレンズプレートを提供することを目的とする。
【課題を解決するための手段】
【０００５】  この考案では、平面形状で被視体の拡大機能を持つレンズ部とその周縁部とからなるレンズプレートにおいて、前記周縁部に薄物への係止部が設けられてなることを特徴とするレンズプレートを提供する。上記係止部は本のページ片等の薄物に係止可能な適宜の形態に設計される。【０００６】  上記構成のレンズプレートは、周縁部に設けられた薄物への係止部により本のページ片等に係止する状態で収納される。
【考案の効果】
【０００７】  この考案によれば、周縁部に設けられた薄物への係止部により本のページ片等に係止する状態に容易に収納でき、紛失することも回避される。とくに本のページ片等に係止収納できることで、使用の際の取り出しも容易に行えて便利である。
【考案を実施するための最良の形態】
【０００８】  図１はこの考案のレンズプレートの第１の実施形態の斜視図、図２はその使用状態斜視図である。レンズプレート１は平面形状で被視体の拡大機能を持つフレネルレンズ構造を持つレンズ部２とその周縁部３とからなり、全体がプラスチックス製であって、上側の幅広の周縁部３に切り込み形状による薄物への係止部５が設けられている。【０００９】  上記係止部５が、図２に示すように、ページ片７の上部に係止されることでレンズプレート１は本６に装着でき、これにより本６を読まない際にレンズプレート１を本６と一体に収納でき紛失することが無く、また、読む際には別途の部位より取り出すことなくすぐにレンズプレート１の使用が行える。【００１０】  図３はこの考案のレンズ２プレートの第２の実施形態の斜視図である。このレンズプレート１は第１の実施形態のものと同様の基本構成を持ち、上側の周縁部３の上端縁に折り返し形状による薄物への係止部５が設けられている。この係止部５がページ片７の上部に係止されることで、レンズプレート１は第１の実施例のものと同様に便利に用いられる。
【図面の簡単な説明】
【図１】この考案のレンズプレートの第１の実施形態の斜視図
【図２】この考案のレンズプレートの第１の実施形態の使用状態斜視図
【図３】この考案のレンズシートの第２の実施形態の斜視図
【符号の説明】
１  レンズプレート
２  レンズ部
３  周縁部
５  係止部
【図１】
0003137127.tif 000003
【図２】
0003137127.tif 000004
【図３】
0003137127.tif 000005
(57)【要約】    （ここには何も記載しないで下さい。）【課題】    ブラシ部に囲いを付け、ブラシ部に柔らかい素材を用い、本体素材に滑り止め効果のあるものを用い、本体背面に通気孔を設ける。【解決手段】    ブラシ部に囲いを付けた爪及び指先洗浄ブラシであり、ブラシ素材にコシがあって柔らかい素材を用い、本体素材に滑り止め効果のある素材を用い、本体背面に通気孔を設けてあることを特徴とする。【選択図】図１
0003137123.tif 000002
【実用新案登録請求の範囲】
【請求項１】
囲いの付いた爪及び指先洗浄ブラシであり、ブラシの素材に皮膚を傷つけにくい柔らかい素材を用い、本体の素材に滑りにくい素材を用い、本体に通気孔を設けた囲い付き爪及び指先洗浄ブラシ。
【考案の詳細な説明】
【技術分野】  （注）見出しの横には何も記載しないで下さい。【０００１】  （注）段落番号の横には何も記載しないで下さい。
本考案は、家庭、医療の現場、飲食等に関係する場で衛生管理を目的として使用される爪及び指先洗浄ブラシに関する。
【背景技術】
【０００２】  従来品は、ブラシがむき出しであった上にその素材が硬かったので、水はねしやすく皮膚に傷が付くことがあった。
【考案の開示】
【考案が解決しようとする課題】
【０００３】  上述の如く、従来品は使用時に汚れを含む水滴が飛び散って、服や洗面台を必要以上に汚した。【０００４】  また、ブラシの素材が硬く、使用時に爪の内側やその他の皮膚を傷つけることがあった。【０００５】  さらに、従来品の本体素材は、水に濡れたり洗剤が付いたりすると滑りやすくなり、持ちにくかった。
【課題を解決するための手段】
【０００６】  上述の使いにくさを解決するため、本考案の囲いの付いた爪及び指先洗浄ブラシは、ブラシ部（１１）を図１のような壁（１２）で囲い、水滴飛散防止効果を持たせる。また、ブラシ素材に従来品よりも柔らかく皮膚を傷つけにくいものを用いる。さらに、本体（１３）素材に滑り止め効果のあるものを用い、水や洗剤に濡れても滑りにくくする。
【考案の効果】
【０００７】  本考案は、ブラシの周りに囲い（１２）を付けることで水や洗剤の飛散を防止し、ブラシ素材に柔らかいものを用いることで皮膚を傷つけにくくすることができ、本体素材に滑り止め効果のあるものを用いることで、濡れても滑りにくい安定した使用感を得ることができる。また、本体に通気孔（１４）を設けることで使用後の乾燥を早め、清潔に管理できる。
【考案を実施するための最良の形態】
【０００８】  本体（１３）を手で持ち、ブラシ部（１１）を爪及び指先に当てて擦って使用する。
【実施例】
【０００９】  ブラシ部（１１）の周りに囲い（１２）を付け、ブラシ部（１１）素材に柔らかいものを用い、本体（１３）素材に滑り止め効果のあるものを用いる。また、本体背面に通気孔（１４）を設ける。これらにより、水滴飛散防止効果、皮膚を傷つけにくい効果、滑りにくく安定した使用感、使用後の乾燥時間を短縮することによって清潔を保つ効果を得られる。
【産業上の利用可能性】
【００１０】  家庭や、衛生管理のために爪及び指先の洗浄が必要な産業分野で利用することができる。
【図面の簡単な説明】
【００１１】
【図１】  本考案の１の実施の形態に係る囲い付き爪及び指先洗いブラシの外観図である。
【図２】  図１の背面図である。
【図３】  図１の断面図である。
【符号の説明】
【００１２】  （１１）ブラシ部
（１２）立ち上げた壁、囲い
（１３）本体部
（１４）通気孔
【図１】
0003137123.tif 000003
【図２】
0003137123.tif 000004
【図３】
0003137123.tif 000005
(57)【要約】      （修正有）【課題】魚の骨を除去することなく食べることが出来る魚の塩干物を提供する。【解決手段】魚の頭部を除いて開いた魚の塩干物において、尾鰭５は残し中骨、腹骨、肉間骨、担鰭骨を除いたもの。上部の開いた魚の背側と背側、又は腹側と腹側を接触させ、所定の形状に成型したもの。これにより、骨を除去する必要がなくなるので、手が汚れることがなくなると共に、塩干物を食べることが容易になる。【選択図】図３
0003137124.tif 000002
【実用新案登録請求の範囲】
【請求項１】
魚の頭部を除いて開いた魚の塩干物において、尾鰭は残し、中骨、腹骨、肉間骨及び担鰭骨を除いたことを特徴とする魚の塩干物。
【請求項２】
上記の開いた魚の背側と背側又は腹側と腹側を接触させ、所定の形状に成型したことを特徴とする請求項１記載の魚の塩干物。
【考案の詳細な説明】
【技術分野】
【０００１】  この考案は魚を開いて干した魚の塩干物に関するものである。
【背景技術】
【０００２】  魚を開いた塩干物としては、魚を腹開き又は背開きし、内臓を除去し、塩を施し、干した後、塩干物としてなる加工品が知られている。魚を開いた塩干物は生魚に比べ保存性が高く、塩による特有の味、食感が有り広く利用されている。しかし、食用には不要な頭部、中骨、腹骨、肉間骨、担鰭骨が残された形態で提供されている。
【考案が解決しようとする課題】
【０００３】  このような従来の魚の塩干物は、塩干物を食べる際、頭部、中骨、腹骨や小骨を手で除去しながら食べる必要があり、骨を除去するのが面倒であると共に手が汚れるという問題点があった。この不便さが塩干物を食すことをためらわせる要因となっている。この考案はこれらの問題点を解決するためになされたもので、魚の骨を除去することなく食べることができる魚の塩干物を提供するものである。
【課題を解決するための手段】
【０００４】  この考案の魚の塩干物は、魚の頭部を除いて開いた魚の塩干物において、尾鰭は残し、中骨、腹骨、肉間骨、及び担鰭骨を除いたものである。
【０００５】また、上記の開いた魚の背側と背側、又は腹側と腹側を接触させ、所定の形状に成型したものである。
【考案の効果】
【０００６】  この考案の魚の塩干物は、尾鰭は残し、中骨、腹骨、肉間骨及び担鰭骨を除去したので、骨を除去する必要がなくなるので、手が汚れることがなくなると共に、塩干物を食べることが容易になる。
【考案を実施するための最良の形態】
【０００７】実施の形態１．
図１は、魚の頭部を切り落とし、内臓を除去し中骨にそって包丁を入れ腹開きにした平面図である。図２は、この考案の魚の塩干物の加工途中の状態を示す平面図である。図３は、この考案の一実施の形態を示す魚の塩干物の斜視図である。図において、１は中骨、２は腹骨、３は肉間骨、４は担鰭骨、５は尾鰭、６は全ての骨を除去した魚肉である。【０００８】  先ず、魚を開いた塩干物の生産加工段階において、カマ上から頭部（図示せず）を切り落とし、内臓を除去する。次に中骨１にそって包丁等を入れ背開き又は腹開きにする。次に、図２に示すように、尾鰭５は残し中骨１を除去し、腹骨２を削ぎ落とす。その他の肉間骨３、及び担鰭骨４は包丁、骨抜き器又はピンセット等の器具で除去する。次に、この様に加工した魚体を塩水に漬けるが、又は直接に塩を施す。次に、図３に示す様に、塩を施し、開いた魚体の背側７と背側７、又は腹側８と腹側８を接触、又は少し重ねて所定の形状、例えば丸く成型する。しかる後、天日、冷風又は熱風等で乾燥し魚の塩干物にする。【０００９】  この考案の魚の塩干物は、上述の様に加工されているので、全ての骨を除去する必要がなくなり、手が汚れることがなくなると共に、塩干物を食べることが容易になる。【００１０】  又、この考案の魚の塩干品に関する新しい形態であり、学校、業務所給食、ホテル旅館等の食事、病人食、老人食など新しい需要を開拓できる。【００１１】  又、この考案の魚の塩干物は一般消費者に広く普及する魚を開いた塩干物を、よりいっそう調理し易く、食べ易い加工品として消費者に提供することにより、子供をはじめ全ての消費者が安心して食することが出来る。また手や目が不自由であっても、日常的に容易に食べられるようになる。【００１２】  さらに、家庭や業務所では廃棄ゴミになりうる頭部、内臓等の廃棄物も、生産地において肥料、飼料等にまとめて処理することができる。
【図面の簡単な説明】
【００１３】
【図１】頭部を切り落とし、内臓を除去し中骨にそって包丁を入れ腹開きにした平面図である。
【図２】この考案の魚の塩干物の加工途中の状態を示す平面図である。
【図３】この考案の一実施の形態を示す魚の塩干物の斜視図である。
【符号の説明】
【００１４】    １  背骨、２  腹骨、３  肉間骨、４  担鰭骨、５  尾鰭、６  魚肉、７  背側、８  腹側
【図１】
0003137124.tif 000003
【図２】
0003137124.tif 000004
【図３】
0003137124.tif 000005
(57)【要約】【課題】打撃方向に注意せずにボールを気軽に打撃可能な野球用バットを提供する。【解決手段】外層２０と、内層１０と、を含み、前記外層は、内層を被覆し、且つ内層と結合する野球用バットＡにおいて、前記内層は、複数の竹片１１を半径方向に積み上げて連接して構成されるものであることを特徴とする野球用バット。【選択図】図２
0003137156.tif 000002
【実用新案登録請求の範囲】
【請求項１】
外層と、内層と、を含み、前記外層は、内層を被覆し、且つ内層と結合する野球用バットにおいて、
前記内層は、複数の竹片を半径方向に積み上げて連接して構成されるものであることを特徴とする、野球用バット。
【請求項２】
前記複数の竹片の寸法は同じであることを特徴とする、請求項１に記載の野球用バット。
【請求項３】
前記竹片の断面形状は矩形を呈することを特徴とする、請求項２に記載の野球用バット。
【請求項４】
前記各竹片を同じ方向に並ばれて積み上げることを特徴とする、請求項３に記載の野球用バット。
【請求項５】
前記外層の材質は木材を使用することを特徴とする、請求項１に記載の野球用バット。
【考案の詳細な説明】
【技術分野】
【０００１】
本考案は、野球用バットの構造に関するものである。
【背景技術】
【０００２】
野球用バットは、材質で区別すれば、木質の野球用バットとアルミ製の野球用バットとに分けられ、しかし、アルミ製の野球用バットを使用すると、野球が長距離に打たれ易いので、国際的な野球試合は木質の野球用バットを指定することが多く、だから、木質の野球用バットに対する研究開発の価値はアルミ製の野球用バットよりも遥かに高くなり、なお、従来の木質の野球用バットは原木を切削して形成されるものであり、その後の木質の野球用バットは複数の木材を粘着して切削して形成されるものであり、構造から見れば、原木を切削して形成される野球用バットは、原木の皺を持つので、ボールを打撃する方向が原木の皺に一致すると、野球用バットが断裂し易く、だから、ボールの打撃方向に注意しないと、野球用バットの損壊率が高くなり、なお、複数の木材を粘着して切削して形成される野球用バットは、上記の野球用バットのように断裂し易くないが、木材の皺が若干に保存しているので、ボールを打撃する方向が原木の皺に一致すると、野球用バットは依然として断裂し易く、だから、ボールの打撃方向に注意しないと、野球用バットの損壊率が高くなる。
【考案の開示】
【考案が解決しようとする課題】
【０００３】
本考案の主な目的は、打撃方向に注意せずにボールを気軽に打撃可能の野球用バットを提供することにある。
【課題を解決するための手段】
【０００４】
上記目的を達成するためになされた本願の考案は、外層と、内層と、を含み、前記外層は、内層を被覆し、且つ内層と結合する野球用バットにおいて、前記内層は、複数の竹片を半径方向に積み上げて連接して構成されるものであることを特徴とする野球用バットであることを要旨としている。
【０００５】
本願の考案では、前記竹片の寸法は同じであることを特徴とする請求項１に記載の野球用バットであることを要旨としている。
【０００６】
本願の考案では、前記竹片の断面形状は矩形を呈することを特徴とする請求項２に記載の野球用バットであることを要旨としている。
【０００７】
本願の考案では、前記各竹片は同じ方向に並ばれて積み上げることを特徴とする請求項３に記載の野球用バットであることを要旨としている。
【０００８】
本願の考案では、前記外層の材質は木材を使用することを特徴とする請求項１に記載の野球用バットであることを要旨としている。
【考案の効果】
【０００９】
本考案の野球用バットによれば、打撃方向に注意せずにボールを気軽に打撃可能になる効果がある。
【考案を実施するための最良の形態】
【００１０】
以下、添付図面を参照して本考案の好適な実施の形態を詳細に説明する。
【００１１】
まず、図１乃至図３を参照する。本考案の野球用バットＡは、内層１０と、外層２０と、を含む。
【００１２】
前記内層１０は、野球用バットＡの中心軸を軸方向とし、複数の竹片１１を半径方向に積み上げて連接して構成されるものであり、本実施例では、前記各竹片１１の断面形状が矩形を呈し、前記各竹片１１が同じ方向に並ばれて積み上げられ、且つ前記各竹片１１の排列方式が同じであり、また、これらの竹片１１が粘着剤にて結合され、完成した内層１０の断面形状が正方形を呈する。
【００１３】
前記外層２０は、前記内層１０を被覆し、且つ内層１０と結合し、本実施例では、前記外層２０が木材を採用し、しかし、外層２０は複数の竹片２１を同じ方向に並んで粘着して積み上げて構成してもいい。
【００１４】
本考案の野球用バットの構造では、内層１０が複数の竹片１１を半径方向に積み上げて連接して構成されるものであるので、原木を切削して形成される野球用バットのようにボールの打撃方向を注意することが必要なく、そして弾性および靭性が富んでいるので、打撃方向に注意せずにボールを気軽に打撃可能である。
【００１５】
また、外層２０が複数の竹片２１を同じ方向に並んで粘着して積み上げて構成する場合には、野球用バットＡの弾性および靭性が更に高くなる。
【図面の簡単な説明】
【００１６】
【図１】本考案の実施例の斜視図である。
【図２】本考案の実施例の半径方向の断面図である。
【図３】本考案の実施例の外層を竹片で作製した状態の概略図である。
【符号の説明】
【００１７】
Ａ        野球用バット
１０      内層
１１      竹片
２０      外層
２１      竹片
【図１】
0003137156.tif 000003
【図２】
0003137156.tif 000004
【図３】
0003137156.tif 000005
(57)【要約】      （修正有）【課題】洗髪用ケープの汚れ防止シールを提供する。【解決手段】ケープ衿汚れ防止シール２００は、上部シート２０１、下部シート２０２の２枚の任意の防水性シート状素材からなる。この洗髪用ケープの衿汚れ防止シール２００の２枚の間に洗髪用ケープを装着して使用することにより、洗髪用ケープの衿汚れは防止される。【選択図】図２
0003137109.tif 000002
【実用新案登録請求の範囲】
【請求項１】
防水性シート状素材の上部シート２０１と下部シート２０２を有し、上部シート２０１と下部シート２０２は、衿首回りを縫製又は圧着したことを特徴とする洗髪用ケープの衿首汚れを防止シール。
【請求項２】
当該上部シート２０１と下部シート２０２は、上部シート２０１を大きく、下部シート２０２が小さなことを特徴とする請求項１の洗髪用ケープの衿首汚れを防止シール。
【請求項３】
本考案使用の任意の防水性素材は、塩化ビニールシート又は防水性不織布または生分解塩ビシートを使用することを特徴とする請求項１，２の洗髪用ケープの衿首汚れを防止シール。
【考案の詳細な説明】
【技術分野】
【０００１】  本考案は、美容サロンや理髪店などで洗髪時に使用する洗髪用ケープの襟部に取り付けて使用する前記ケープの衿汚れ等を防止するシールする洗髪用ケープの衿汚れ等防止シールに関するものである。
【背景技術】
【０００２】  従来、美容サロンや理髪店などで洗髪をする場合、いろいろな洗髪用のケープを使用して洗髪がなされていた。昨今のケープは、デザイン性のケープなどもあり、価格もかなり高額なものも使用されているサロンも多くなってきている。【０００３】  洗髪だけの場合は、さほど衿首などが汚れることは少なかったが、昨今は毛染め後の洗髪もあり、毛染めの顔料が付着し、汚れることが多かった。【０００４】  また、洗髪用ケープも数枚は予備として保管しているサロンもあるが、来客数が多い日には予備のケープで間に合わず、使用済みのケープを洗い使用する場合もあるが、乾きが足りず、お客様に水滴で冷たい思いをさせる場合があった。そのため、衿首の周りにフェイスタオルなどを巻き付けで使用していたが、毛染め後の洗髪の場合などは、顔料が付着して不潔感かあった。
【考案の開示】
【考案が解決しようとする課題】
【０００５】  本考案は、これらのことを鑑み、考案されたものである。  まず、洗髪用ケープの衿首周りにケープ衿汚れ防止シール２００を取り付けて使用することにより洗髪用ケープの汚れを防止すること。【０００６】  その衿首周りに取り付ける衿汚れ防止シール２００は、２枚の防水性シートからなり、上部シート２０１と下部シート２０２からなることを目的とする。【０００７】  また、図２に示すように、その上部シート２０１と下部シート２０２は、大きさが異なることを目的とする。【０００８】  また、その材質は、塩化ビニールシート又は防水性不織布を使用することを目的とする。
【課題を解決するための手段】
【０００９】  ケープ衿汚れ防止シール２００は、図２に示すように、上部シート２０１、下部シート２０２の２枚の任意の防水性シート状素材からなることを特徴とする。【００１０】  図２に示すように裁断された２枚のシート２０１，２０２は、図３に示すように襟首周縁にテープ状の任意の防水性のシート状素材２０３を被覆し、衿部を形成、縫製、又は圧着により形成することを特徴とする。【００１１】  本考案の任意の防水性素材は、塩化ビニールシート又は防水性不織布または生分解塩ビシートを使用することを特徴とする。
【考案の効果】
【００１２】  本考案の洗髪用ケープ襟汚れ防止シール２００を使用することにより、顧客ごとにその洗髪用ケープ襟汚れ防止シール２００を取り替えることによって、洗髪用ケープ１００の汚れもなくなり、顧客にも喜ばれる。
【考案を実施するための最良の形態】
【００１３】  任意の防水性シート状素材を図２に示すように、上部シート２０１と下部シート２０２のように裁断する。【００１４】  裁断した上部シート２０１と下部シート２０２を２枚合わせ、図３に示すように襟首周縁にテープ状の任意の防水性のシート状素材２０３を被覆した衿部を形成、縫製、又は圧着により形成する。
【図面の簡単な説明】
【００１５】
【図１】洗髪用ケープ
【図２】本考案の背面図
【図３】本考案の被覆縫製部分の拡大図
【図４】
0003137109.tif 000003
【図５】本考案のＡ−Ａ’断面図
【図６】本考案品を洗髪用ケープに取り付けた図
【図７】本考案品を洗髪用ケープに取り付ける詳細図
【符号の説明】
【００１６】１００．洗髪用ケープ１０１．面テープ１１０２．面テープ２２００．本考案の洗髪用シール２０１．上部シート２０２．下部シート２０３．周縁テープ２０４．縫製糸
【図１】
0003137109.tif 000004
【図２】
0003137109.tif 000005
【図３】
0003137109.tif 000006
【図４】
0003137109.tif 000007
【図５】
0003137109.tif 000008
【図６】
0003137109.tif 000009
【図７】
0003137109.tif 000010